(57)【要約】【課題】精白米の表面についた酸化物を除去する白米みがき機能、玄米の分つき機能および精白機能を有する精米器において、きめ細かい精米圧力の設定ができるようにして、歩つき米から白米まで精米できるようにする。【解決手段】精白室２８の排米側に圧接自在に配設した抵抗蓋３７により精白室２８内の玄米の流動を制限し、精白度調整装置３０により精白室２８内の精米圧力を所定の圧力範囲内で可変する。精白度調整装置３０の圧力調整範囲を圧力切替装置３６により変更するよう構成する。【選択図】図１
2006175343.tif 000002
【特許請求の範囲】
【請求項１】
精白室と、前記精白室の排米側に圧接自在に配設し精白室内の玄米の流動を制限する抵抗蓋と、前記精白室内の精米圧力を所定の圧力範囲内で可変する精白度調整装置とを備え、前記精白度調整装置の圧力調整範囲を変更する圧力切替装置を有する精米器。
【請求項２】
圧力切替装置は、抵抗蓋を精白室の排米側の端面と間隔を隔てて位置するよう設定可能にした請求項１記載の精米器。
【請求項３】
圧力切替装置は、１つのつまみにて精白度調整装置の圧力調整範囲を変更するとともに、抵抗蓋と精白室の排米側の端面と間隔を隔てて位置するよう設定可能にした請求項１または２記載の精米器。
【請求項４】
精白度調整装置と圧力切替装置とを連結する取付板を備え、前記精白度調整装置は、抵抗蓋を精白室の排米側に圧接する圧力調整ばねと、この圧力調整ばねを変位させる圧力調整板とを有し、前記圧力切替装置は、前記抵抗蓋を支持し前後にスライドするスライド軸と、このスライド軸を前後に移動可能とするスライドカムとを有し、前記スライドカムにより前記スライド軸を精白室の排米側に移動させようとする力により前記取付板を前後に移動させることにより、前記圧力調整ばねを変位させ圧力調整範囲を変更するようにした請求項１記載の精米器。
【請求項５】
精白度調整装置と圧力切替装置とを連結する取付板を備え、前記精白度調整装置は、抵抗蓋を精白室の排米側に圧接する圧力調整ばねと、この圧力調整ばねを変位させる圧力調整板とを有し、前記圧力切替装置は、前記抵抗蓋を支持し前後にスライドするスライド軸と、このスライド軸を前後に移動可能とするスライドカムとを有し、前記スライドカムにより前記スライド軸を排米側の反対方向に移動させることにより、抵抗蓋と精白室の排米側の端面と間隔を隔てて位置するよう設定可能にした請求項２記載の精米器。
【請求項６】
精白度調整装置と圧力切替装置とを連結する取付板を備え、前記精白度調整装置は、抵抗蓋を精白室の排米側に圧接する圧力調整ばねと、この圧力調整ばねを変位させる圧力調整板とを有し、前記圧力切替装置は、前記抵抗蓋を支持し前後にスライドするスライド軸と、このスライド軸を前後に移動可能とするスライドカムとを有し、前記スライドカムにより前記スライド軸を精白室の排米側に移動させようとする力により前記取付板を前後に移動させることにより圧力調整ばねを変位させて圧力調整範囲を変更し、前記スライドカムによりスライド軸を排米側の反対方向に移動することにより抵抗蓋と精白室の排米側の端面と間隔を隔てて位置するよう設定可能にした請求項３記載の精米器。
【請求項７】
圧力調整ばねは、ばね定数を２段階にし、圧力調整の切替位置は、ばね定数の変化点の近傍とした請求項４〜６のいずれか１項に記載の精米器。
【請求項８】
スライドカムを操作する切替つまみを備え、前記切替つまみは、スライドカムに前後方向移動自在に取り付け、ばねにより前方に付勢した請求項４〜６のいずれか１項に記載の精米器。
【発明の詳細な説明】
【技術分野】
【０００１】
本発明は、精白米の表面についた酸化物を除去する白米みがき機能、玄米の分つき機能および精白機能を有する精米器に関するものである。
【背景技術】
【０００２】
従来、この種の精米器は、図１０に示すように構成していた（例えば、特許文献１参照）。以下、その構成について説明する。
【０００３】
図１０に示すように、精米器本体１は、箱型器枠２の内部に除糠精白筒３を横架し、その内部に回転横軸４を嵌挿して軸受５によって回転横軸４を支承している。回転横軸４には、摩擦式ロールである精白転子６と螺旋転子７をそれぞれ軸装して、その外周に精白室８を形成し、精白室８の給米側に給米口９を設け、排米側に精白度調整装置１０を備えた排米口１１を設けている。給米口９には、精米前の穀粒を蓄えるホッパー１２を設け、除糠精白筒３の下方に糠容器１３を設けている。
【０００４】
ホッパー１２には、穀粒の有無を検知する検知手段として対向型光センサ１４を備えている。駆動部としてのモータ１５は、ベルト１６により回転横軸４に回転力を伝達し、その動作は、制御手段１７により制御される。運転スイッチ１８は、制御手段１７に精米開始および停止の信号を送る。
【０００５】
精白度調整装置１０は、精白室８の排米側に圧接自在に設けた抵抗蓋１９の付勢力を調整つまみ２０により調整し、所定の精米圧力を得るよう構成している。
【０００６】
上記構成において、給米口９より供給された精白米・玄米は、精白室８に落下して精白転子６の回転によって精米される際、排米口１１部において精白度調整装置１０により適度に精米圧力がかかり所定の精白度となった上で、排米口１１から落下し、精米器本体１の外部へ排出される。
【特許文献１】特開２０００−１５１１８号公報
【発明の開示】
【発明が解決しようとする課題】
【０００７】
このような従来の構成では、歩つき米から白米まで１台の精米器で行うには、広い精米圧力の調整が必要になるが、限られたスペースでは広くとることができず。つまみ１目盛りで精米具合が大きく変動するた所望の精米具合に調節することができないという問題を有していた。
【０００８】
また、精米圧力が高いために、除糠精白筒３と摩擦式ロールである精白転子６の間に砕米が発生した場合、モータ１５への負荷が大きくなり、モータ１５が回転できなくなるモータロックを起こすことがあるが、モータロックを解消しようとして、内部の米を排出しようとしても、排米側を抵抗蓋１９で塞いでいるため、排出できないという問題を有し、さらに、手入れの際に、内部に多くの米が残り、排出できないという問題を有していた。
【０００９】
本発明は上記従来の課題を解決するもので、きめ細かい精米圧力の設定ができるようにして、歩つき米から白米まで精米できるようにすることを目的としている。
【課題を解決するための手段】
【００１０】
本発明は、上記目的を達成するために、精白室の排米側に圧接自在に配設した抵抗蓋により精白室内の玄米の流動を制限し、精白度調整装置により精白室内の精米圧力を所定の圧力範囲内で可変するよう構成し、精白度調整装置の圧力調整範囲を圧力切替装置により変更するよう構成したものである。
【００１１】
これにより、きめ細かい精米圧力の設定をすることができて、歩つき米から白米まで精米することができる。
【発明の効果】
【００１２】
本発明の精米器は、きめ細かい精米圧力の設定をすることができて、歩つき米から白米まで精米することができる。
【発明を実施するための最良の形態】
【００１３】
第１の発明は、精白室と、前記精白室の排米側に圧接自在に配設し精白室内の玄米の流動を制限する抵抗蓋と、前記精白室内の精米圧力を所定の圧力範囲内で可変する精白度調整装置とを備え、前記精白度調整装置の圧力調整範囲を変更する圧力切替装置を有するものであり、圧力切替装置により圧力調整範囲を変更することで、精白度調整装置の調整つまみによる圧力調整範囲を広げることができ、きめ細かい精米圧力の設定をすることができて、歩つき米から白米まで精米することができる。
【００１４】
第２の発明は、上記第１の発明において、圧力切替装置は、抵抗蓋を精白室の排米側の端面と間隔を隔てて位置するよう設定可能にしたものであり、精白度調整装置の圧力調整範囲にかかわらず、抵抗蓋と精白室の排米側の端面との間に間隔を設けることができて、精米圧力が完全になくなり、内部の米を容易に排出できるために、モータがロックしても除糠精白筒を外して内部の米を排出するような手入れ作業をすることなく、米を排出することができ、使い勝手を向上することができ、さらに、手入れ前に排米側の抵抗蓋と精白室の排米側の端面との間に間隔を設けた状態で運転することにより、内部に残存する米を排出することができ、手入れする際にこぼれる米の量を削減でき、手入れがし易くなる。
【００１５】
第３の発明は、上記第１または第２の発明において、圧力切替装置は、１つのつまみにて精白度調整装置の圧力調整範囲を変更するとともに、抵抗蓋と精白室の排米側の端面と間隔を隔てて位置するよう設定可能にしたものであり、操作性を向上することができる。
【００１６】
第４の発明は、上記第１の発明において、精白度調整装置と圧力切替装置とを連結する取付板を備え、前記精白度調整装置は、抵抗蓋を精白室の排米側に圧接する圧力調整ばねと、この圧力調整ばねを変位させる圧力調整板とを有し、前記圧力切替装置は、前記抵抗蓋を支持し前後にスライドするスライド軸と、このスライド軸を前後に移動可能とするスライドカムとを有し、前記スライドカムにより前記スライド軸を精白室の排米側に移動させようとする力により前記取付板を前後に移動させることにより、前記圧力調整ばねを変位させ圧力調整範囲を変更するようにしたものであり、圧力切替装置により圧力調整範囲を「高」に設定した場合は、スライドカムによりスライド軸を精白室の排米側に移動させようとする力が大きく、その反作用により取付板を前方に移動させ、圧力調整ばねを縮ませて圧力調整範囲を高い側に設定することができ、圧力切替装置により圧力調整範囲を「低」に設定した場合は、スライドカムによりスライド軸を精白室の排米側に移動させようとする力が小さく、取付板を排米側に移動させ、圧力調整ばねを伸ばして圧力調整範囲を低い側に設定できるので、部品点数が少なく、安価な精米器を提供することができる。
【００１７】
第５の発明は、上記第２の発明において、精白度調整装置と圧力切替装置とを連結する取付板を備え、前記精白度調整装置は、抵抗蓋を精白室の排米側に圧接する圧力調整ばねと、この圧力調整ばねを変位させる圧力調整板とを有し、前記圧力切替装置は、前記抵抗蓋を支持し前後にスライドするスライド軸と、このスライド軸を前後に移動可能とするスライドカムとを有し、前記スライドカムにより前記スライド軸を排米側の反対方向に移動させることにより、抵抗蓋と精白室の排米側の端面と間隔を隔てて位置するよう設定可能にしたものであり、スライドカムによりスライド軸を精白室の排米側の反対方向に移動させることにより、取付板が排米側の終端まで移動し、抵抗蓋と精白室の排米側の端面と間隔を隔てて位置するよう設定することができ、部品点数が少なく信頼性の高い精米器を提供することができる。
【００１８】
第６の発明は、上記第３の発明において、精白度調整装置と圧力切替装置とを連結する取付板を備え、前記精白度調整装置は、抵抗蓋を精白室の排米側に圧接する圧力調整ばねと、この圧力調整ばねを変位させる圧力調整板とを有し、前記圧力切替装置は、前記抵抗蓋を支持し前後にスライドするスライド軸と、このスライド軸を前後に移動可能とするスライドカムとを有し、前記スライドカムにより前記スライド軸を精白室の排米側に移動させようとする力により前記取付板を前後に移動させることにより圧力調整ばねを変位させて圧力調整範囲を変更し、前記スライドカムによりスライド軸を排米側の反対方向に移動することにより抵抗蓋と精白室の排米側の端面と間隔を隔てて位置するよう設定可能にしたものであり、スライド軸を精白室の排米側に移動させようとする力の反作用により取付板を前後に移動させることにより圧力調整ばねを変位させて圧力調整範囲を変更することができ、また、スライド軸を精白室の排米側の反対方向に移動させることにより、取付板が排米側の愁嘆まで移動し、抵抗蓋と精白室の排米側の端面と間隔を隔てて位置するよう設定することができ、部品点数が少なく信頼性の高い精米器を提供することができる。
【００１９】
第７の発明は、上記第４〜６のいずれか１つの発明において、圧力調整ばねは、ばね定数を２段階にし、圧力調整の切替位置は、ばね定数の変化点の近傍としたものであり、精米圧力の急激な変化のない使い勝手の良い精米器を提供することができる。
【００２０】
第８の発明は、上記第４〜６のいずれか１つの発明において、スライドカムを操作する切替つまみを備え、前記切替つまみは、スライドカムに前後方向移動自在に取り付け、ばねにより前方に付勢したものであり、精米時に精白米が抵抗蓋を押して発生する空間から排出されるときに、切替つまみとスライドカムは前後に自由に移動することができ、抵抗蓋の動きを阻害することなく安定した精米が可能となる。
【００２１】
以下、本発明の実施の形態について、図面を参照しながら説明する。なお、この実施の形態によって本発明が限定されるものではない。
【００２２】
（実施の形態１）
図１に示すように、精米器本体２１は、箱型器枠２２の内部に除糠精白筒２３を横架し、その内部に回転横軸２４を嵌挿して軸受２５によって回転横軸２４を支承している。回転横軸２４には、摩擦式ロールである精白転子２６と螺旋転子２７をそれぞれ軸装して、その外周に精白室２８を形成し、精白室２８の給米側に給米口２９を設け、排米側に精白度調整装置３０を備えた排米口３１を設けている。給米口２９には、精米前の穀粒を蓄えるホッパー３２を設け、除糠精白筒２３の下方に糠容器３３を設けている。
【００２３】
ホッパー３２には、穀粒の有無を検知する検知手段として対向型光センサ（図示せず）を備えている。駆動部としてのモータ３４は、ベルト３５により回転横軸２４に回転力を伝達し、その動作は、制御手段（図示せず）により制御される。
【００２４】
精白度調整装置３０は、精白度調整装置３０の圧力調整範囲を変更する圧力切替装置３６を介して、精白室２８の排米側に圧接自在に設けた抵抗蓋３７の付勢力を調整つまみ３８により調整し、所定の精米圧力を得るよう構成しており、抵抗蓋３７を精白室２８の排米側に圧接するコイル状の圧力調整ばね３９と、この圧力調整ばね３９を変位させる圧力調整板４０とを有している。
【００２５】
圧力切替装置３６は、図２に示すように、抵抗蓋３７を支持して抵抗蓋３７を前後にスライドするスライド軸４１と、このスライド軸４１を前後に移動可能とするスライドカム４２とを有し、スライド軸４１をばね４３によりスライドカム４２に圧接している。切替つまみ４４は、スライドカム４２を操作するもので、この切替つまみ４４はスライドカム４２に前後方向移動自在に取り付け、ばね４５により前方に付勢している。
【００２６】
この圧力切替装置３６は、回転横軸２４と平行に配置し、支持板４６で支持した第１の支持軸４７に軸支された圧力調整ばね３９により排米側に付勢される取付板４８に取り付け、精白度調整装置３０と連結している。
【００２７】
調整つまみ３８は、図３に示すように、第１の支持軸４７と交差する第２の支持軸４９に摺動自在に設け、回転自在のローラ５０を備えている。圧力調整板４０は、第１の支点５１を中心に回動し、一面４０ａは圧力調整ばね３９に当接し、他面４０ｂはローラ５０に当接し、その当接面４０ｂは波型に形成し、かつ第１の支点５１より離れる程圧力調整ばね３９を短くする方向、すなわちローラ５０側に湾曲している。また、圧力調整板４０と圧力調整ばね３９の当接面４０ａは第１の支点５１からの距離が波型の当接面４０ｂの最長のものより短い位置に設けている。
【００２８】
ここで、圧力切替装置３６は、図４に示すように、切替つまみ４４を「高」または「低」に切り替える操作をすることでスライドカム４２を回転させて、図５に示すように、取付板４８を移動することにより、圧力調整ばね３９を変位させ圧力調整範囲を変更するように構成している。
【００２９】
すなわち、切替つまみ４４を「低」に設定すると、図２に示すように、スライドカム４２のスライド軸４１との当接部４２ａの高さが低いため、ばね４３が伸びた状態でスライド軸４１を精白室２８の排米側に移動させようとする押圧力、すなわち抵抗蓋３７の付勢力が小さく、また、取付板４８が精白室２８の排米側に移動して支持板４６に当接し、圧力調整ばね３９が圧力切替装置３６により圧縮されない状態になる。
【００３０】
切替つまみ４４を「高」に設定すると、図５に示すように、スライドカム４２のスライド軸４１との当接部４２ｂの高さが高いため、ばね４３が圧縮された状態でスライド軸４１を精白室２８の排米側に移動させようとする押圧力、すなわち抵抗蓋３７の付勢力が大きく、また、取付板４８が前方に移動して取付板４８と支持板４６との間に間隙ｄが生じ、圧力調整ばね３９が圧力切替装置３６により圧縮される状態になり、圧力調整ばね３９が圧縮された分だけ精米圧力が高くなるようにしている。なお、図４にて、スタートボタン５１は動作を開始するとき操作するものであり、「米排出」については後述する。
【００３１】
このとき、圧力調整ばね３９は、ばね定数を２段階にし、圧力調整の切替位置は、図６に示すように、ばね定数の変化点Ａの近傍としている。図６は、圧力調整ばね３９の圧力調整範囲と抵抗蓋３７を精白室２８の排米側に圧接する圧力、すなわち精米圧力との関係を示し、圧力調整範囲のａ０〜ａ１０は、圧力切替装置３６を「低」に切り替えたときの精白度調整装置３０による圧力調整範囲であり、ｂ０〜ｂ１０は、圧力切替装置３６を「高」に切り替えたときの精白度調整装置３０による圧力調整範囲である。
【００３２】
上記構成において動作・作用を説明する。スタートボタン５１が押されると、モータ３４が回転し、ベルト３５により回転力が伝達され、回転横軸２４が回転する。すると、ホッパー３２に貯えられた精白米・玄米は、給米口２９より精白室２８に流下する。この米は、最初に螺旋転子２７に送り込まれて移送され、精白転子２６の回転によって精米される。このとき、排米口３１部において精白度調整装置３０により適度に精米圧力がかかり所定の精白度となった上で、排米口３１から落下し、精米器本体２１の外部へ排出される。
【００３３】
排米口３１部では、圧力調整ばね３９で排米口３１側へ付勢される抵抗蓋３７によって精白室２８内の精白米の流動を制限して、いわゆる精米圧力を増大させているので、精白室２８内で玄米は互いに擦れ合うことにより精米される。除糠精白筒２３には、スリットが入っているため擦れ落ちた米糠は、スリットから糠容器３３内に落ちて収容される。ホッパー３２内の米がなくなると、対向型光センサを通過する米がなくなり、制御手段は一定時間後にモータ３４を停止する。
【００３４】
つぎに、精白度調整装置３０について詳述する。圧力調整ばね３９により取付板４８は、圧力切替装置３６を介して抵抗蓋３７を排米口３１側に付勢し、その反力により圧力調整板４６は支点５１を中心に調整つまみ３８のローラ５０を押すモーメント力が働く。
【００３５】
ここで、圧力切替装置３６の切替つまみ４４を「低」に設定すると、スライドカム４２のスライド軸４１との当接部４２ａの高さが低いため、ばね４３が伸びた状態でスライド軸４１を精白室２８の排米側に移動させようとする押圧力、すなわち抵抗蓋３７の付勢力が小さく、また、取付板４８が精白室２８の排米側に移動して支持板４６に当接し、圧力調整ばね３９が圧力切替装置３６により圧縮されることはない。この状態で、調整つまみ３８を、図３に示す位置（図４の「弱」の位置）から、第２の支持軸４９上を摺動させて支点５１から離す方向に移動させると、圧力調整板４０の波型の当接面４０ｂがローラ５０側に湾曲しているため支点５１を中心に回転し、当接面４０ａが圧力調整ばね３９を押し、切替つまみ４４が図４の「強」の位置では、図７に示すように、圧力調整ばね３９の全長が短くなり、抵抗蓋３６の付勢力が増大し、精米圧力が増大する。
【００３６】
逆に、調整つまみ３９を支点５１に近づける方向に移動させると、圧力調整板４０の波型の当接面４０ｂがローラ５０側に湾曲しているため支点５１を中心に回転し、当接面４０ａが圧力調整ばね３９を押し、圧力調整ばね３９の全長が長くなり抵抗蓋３７の付勢力が減少し、精米圧力が減少する。
【００３７】
このようにして、切替つまみ４４を「低」に設定した場合は、図６の圧力調整範囲ａ０〜ａ１０の範囲で調整つまみ４０を適切な位置に選択することにより所定の精米圧力を得ることができる。
【００３８】
つぎに、切替つまみ４４を「高」に設定すると、スライドカム４２のスライド軸４１との当接部４２ｂの高さが高いため、ばね４３が圧縮された状態でスライド軸４１を精白室２８の排米側に移動させようとする押圧力、すなわち抵抗蓋３７の付勢力が大きく、その反作用により取付板４８を前方に移動させる。取付板４８が前方に移動することにより、取付板４８と支持板４６との間に間隙ｄが生じ、圧力調整ばね３９が圧力切替装置３６により圧縮され、圧力調整ばね３９が圧縮された分だけ精米圧力が高くなる。この状態で、調整つまみ３８を図４の「弱」の位置から「強」の方向に移動させると、上述のように、圧力調整ばね３９の全長が短くなり、抵抗蓋３６の付勢力が増大し、精米圧力が増大する。逆に、調整つまみ３９を図４の「強」の位置から「弱」の方向に移動させると、圧力調整ばね３９の全長が長くなり、抵抗蓋３７の付勢力が減少し、精米圧力が減少する。
【００３９】
このようにして、切替つまみ４４を「高」に設定した場合は、図６の圧力調整範囲ｂ０〜ｂ１０の範囲で調整つまみ４０を適切な位置に選択することにより所定の精米圧力を得ることができる。
【００４０】
以上のように、本実施の形態においては、精白度調整装置３０の圧力調整範囲を変更する圧力切替装置３６を有するので、圧力切替装置３６により圧力調整範囲を変更することで、精白度調整装置３０の調整つまみ３８による圧力調整範囲を広げることができ、きめ細かい精米圧力の設定をすることができて、歩つき米から白米まで精米することができる。
【００４１】
また、精白度調整装置３０は、抵抗蓋３７を精白室２８の排米側に圧接する圧力調整ばね３９と、この圧力調整ばね３９を変位させる圧力調整板４０とを有し、圧力切替装置３６は、抵抗蓋３７を支持し前後にスライドするスライド軸４１と、このスライド軸４１を前後に移動可能とするスライドカム４２とを有し、スライドカム４２によりスライド軸４１を精白室２８の排米側に移動させようとする力により取付板４８を前後に移動させることにより、圧力調整ばね３９を変位させ圧力調整範囲を変更するようにしたので、圧力切替装置３６により圧力調整範囲を「高」に設定した場合は、スライドカム４２によりスライド軸４１を精白室２８の排米側に移動させようとする力が大きく、その反作用により取付板４８を前方に移動させ、圧力調整ばね３９を縮ませて圧力調整範囲を高い側に設定することができ、圧力切替装置３６により圧力調整範囲を「低」に設定した場合は、スライドカム４２によりスライド軸４１を精白室２８の排米側に移動させようとする力が小さく、取付板４８を排米側に移動させ、圧力調整ばね３９を伸ばして圧力調整範囲を低い側に設定できるので、部品点数が少なく、安価な精米器を提供することができる。
【００４２】
また、圧力調整ばね３９は、ばね定数を２段階にし、圧力調整の切替位置は、ばね定数の変化点の近傍としたので、精米圧力の急激な変化のない使い勝手の良い精米器を提供することができる。
【００４３】
また、スライドカム４２を操作する切替つまみ４４は、スライドカム４２に前後方向移動自在に取り付け、ばね４５により前方に付勢したので、精米時に精白米が抵抗蓋３７を押して発生する空間から排出されるときに、切替つまみ４４とスライドカム４２は前後に自由に移動することができ、抵抗蓋３７の動きを阻害することなく安定した精米が可能となる。
【００４４】
（実施の形態２）
図８に示すように、圧力切替装置３６は、抵抗蓋３７を支持して抵抗蓋３７を前後にスライドするスライド軸４１と、このスライド軸４１を前後に移動可能とするスライドカム４２とを有し、スライドカム４２は、上記実施の形態１と同様に、切替つまみ４４を「低」に設定したときスライド軸４１に当接する位置に当接部４２ａを有し、切替つまみ４４を「高」に設定したときスライド軸４１に当接する位置に当接部４２ｂを有するとともに、当接部４２ａより高さが低い当接部４２ｃを有しており、１つの切替つまみ４４にて精白度調整装置３０の圧力調整範囲を変更するとともに、抵抗蓋３７と精白室２８の排米側の端面と間隔Ｄを隔てて位置するよう設定可能にしている。
【００４５】
すなわち、図４に示すように、切替つまみ４４を「米排出」に設定すると、当接部４２ｃがスライド軸４１に当接し、ばね４３によりスライド軸４１を排米側の反対方向に移動させることにより、抵抗蓋３７と精白室２８の排米側の端面と間隔Ｄを隔てて位置するよう設定可能にしている。他の構成は上記実施の形態１と同じであり、同一符号を付して説明を省略する。
【００４６】
上記構成において動作・作用を説明する。切替つまみ４４を「低」または「高」に設定し、運転を開始すると、ホッパーに貯えられた精白米・玄米は、給米口より精白室２８に流下し、最初に螺旋転子に送り込まれて移送され、精白転子２６の回転によって精米される。このとき、排米口３１部において精白度調整装置３０により適度に精米圧力がかかり所定の精白度となった上で、排米口３１から落下し、精米器本体の外部へ排出される。
【００４７】
このとき、精米圧力が高いために、除糠精白筒３と摩擦式ロールである精白転子６の間に砕米が発生した場合、モータへの負荷が大きくなり、モータが回転できなくなるモータロックを起こすことがある。
【００４８】
モータロックを解消する際、調整つまみ３８を「弱」に設定した状態で、切替つまみ４４を「米排出」に設定すると、スライドカム４２の当接部４２ｃがスライド軸４１に当接し、ばね４３によりスライド軸４１を排米側の反対方向に移動させることにより、取付板４８が排米側の終端まで移動し、抵抗蓋３７と精白室２８の排米側の端面との間に間隔Ｄを隔てることができる。
【００４９】
この状態で、調整つまみ３８を、第２の支持軸４９上を摺動させて支点５１から離す方向に移動させて「強」に設定すると、上記実施の形態１と同様にして、図９に示すように、圧力調整ばね３９の全長が短くなるが、この状態においても抵抗蓋３７と精白室２８の排米側の端面と間隔Ｄを隔てることができる。
【００５０】
このようにして、切替つまみ４４を「米排出」に設定することにより、精白度調整装置３０の圧力調整範囲にかかわらず、抵抗蓋３７と精白室２８の排米側の端面との間に間隔Ｄを設けることができて、精米圧力が完全になくなり、内部の米を容易に排出できるために、モータがロックしても除糠精白筒２３を外して内部の米を排出するような手入れ作業をすることなく、米を排出することができ、使い勝手を向上することができる。
【００５１】
以上のように、本実施の形態においては、抵抗蓋３７を精白室２８の排米側の端面と間隔Ｄを隔てて位置するよう設定可能にしたので、精白度調整装置３０の圧力調整範囲にかかわらず、抵抗蓋３７と精白室２８の排米側の端面との間に間隔Ｄを設けることができて、精米圧力が完全になくなり、内部の米を容易に排出できるために、モータがロックしても除糠精白筒２３を外して内部の米を排出するような手入れ作業をすることなく、米を排出することができ、使い勝手を向上することができ、さらに、手入れ前に排米側の抵抗蓋３７と精白室２８の排米側の端面との間に間隔Ｄを設けた状態で運転することにより、内部に残存する米を排出することができ、手入れする際にこぼれる米の量を削減でき、手入れがし易くなる。
【００５２】
また、圧力切替装置３６は、１つの切替つまみ４４にて精白度調整装置３０の圧力調整範囲を変更するとともに、抵抗蓋３７と精白室２８の排米側の端面と間隔Ｄを隔てて位置するよう設定可能にしたので、操作性を向上することができる。
【００５３】
また、精白度調整装置３０は、抵抗蓋３７を精白室２８の排米側に圧接する圧力調整ばね３９と、この圧力調整ばね３９を変位させる圧力調整板４０とを有し、圧力切替装置３６は、抵抗蓋３７を支持し前後にスライドするスライド軸４１と、このスライド軸４１を前後に移動可能とするスライドカム４２とを有し、スライドカム４２によりスライド軸４１を排米側の反対方向に移動させることにより、抵抗蓋３７と精白室２８の排米側の端面と間隔Ｄを隔てて位置するよう設定可能にしたので、スライドカム４２によりスライド軸４１を精白室２８の排米側の反対方向に移動させることにより、取付板４８が排米側の終端まで移動し、抵抗蓋３７と精白室２８の排米側の端面と間隔を隔てて位置するよう設定することができ、部品点数が少なく信頼性の高い精米器を提供することができる。
【産業上の利用可能性】
【００５４】
以上のように、本発明にかかる精米器は、きめ細かい精米圧力の設定をすることができて、歩つき米から白米まで精米することができるので、精白米の表面についた酸化物を除去する白米みがき機能、玄米の分つき機能および精白機能を有する精米器として有用である。
【図面の簡単な説明】
【００５５】
【図１】本発明の実施の形態１における精米器の断面図
【図２】同精米器の精白度調整装置を弱に、圧力切替装置を低に設定した状態の要部拡大断面図
【図３】同精米器の精白度調整装置を弱に、圧力切替装置を低に設定した状態の要部上面図
【図４】同精米器の操作部の拡大正面図
【図５】同精米器の精白度調整装置を弱に、圧力切替装置を高に設定した状態の要部拡大断面図
【図６】同精米器の圧力調整範囲と精米圧力の関係を示す特性図
【図７】同精米器の精白度調整装置を強に、圧力切替装置を低に設定した状態の要部拡大断面図
【図８】本発明の実施の形態２における精米器の精白度調整装置を弱に、圧力切替装置を米排出に設定した状態の要部断面図
【図９】同精米器の精白度調整装置を強に、圧力切替装置を米排出に設定した状態の要部断面図
【図１０】従来の精米器の断面図
【符号の説明】
【００５６】
２８  精白室
３０  精白度調整装置
３６  圧力切替装置
３７  抵抗蓋
【図１】
2006175343.tif 000003
【図２】
2006175343.tif 000004
【図３】
2006175343.tif 000005
【図４】
2006175343.tif 000006
【図５】
2006175343.tif 000007
【図６】
2006175343.tif 000008
【図７】
2006175343.tif 000009
【図８】
2006175343.tif 000010
【図９】
2006175343.tif 000011
【図１０】
2006175343.tif 000012